(57)【要約】【課題】装置の外形寸法精度を高めて小型化し、見栄えを向上させることができ、排熱と断熱による損失を低減でき、消費電力を削減できる加熱装置を提供することを目的とするものである。【解決手段】外カバー４の裏側に断熱塗料３を塗布し、また、排気ダクト１の中に自動で開閉制御可能な遮蔽板２０を備えて立ち上げ時や被処理物が無い時に遮蔽板を閉じ、また、炉体８の外側を断熱材または断熱塗料２２で断熱する構成とするものである。【選択図】図１
2006170581.tif 000002
【特許請求の範囲】
【請求項１】
被処理物を搬送手段により搬送して加熱炉を形成する炉体の間を通過させながら熱処理を行う加熱装置において、外カバーの裏側に断熱塗料を塗布したことを特徴とする加熱装置。
【請求項２】
被処理物を搬送手段により搬送して加熱炉を形成する炉体の間を通過させながら熱処理を行う加熱装置において、排気ダクトの中に自動で開閉制御可能な遮蔽板を備えることを特徴とする加熱装置。
【請求項３】
被処理物を搬送手段により搬送して加熱炉を形成する炉体の間を通過させながら熱処理を行う加熱装置において、炉体の外側を断熱材または断熱塗料で断熱することを特徴とする加熱装置。
【発明の詳細な説明】
【技術分野】
【０００１】
本発明は、各種部材の熱処理などに用いる加熱装置に関するものである。
【背景技術】
【０００２】
従来、この種の各種部材の熱処理などに用いる加熱装置は、通常加熱装置は炉体８がヒータ９とファン７とで形成され、双方間を被処理物５が搬送部６によって搬送され、炉体内を通過させながら加熱処理する。また、従来における加熱装置の構成例を図３に示すように、排気用の排気ダクト１と排気ファン２を備え、断熱対策として外カバー４の外側に断熱塗料３を塗布する方式がとられている。また、従来における加熱装置の他の構成例を図４に示すように、外カバーの外側を断熱ジャケット１０で覆う方式がとられているものもある。
【０００３】
なお、この出願の発明に関する先行技術文献情報としては、例えば特許文献１が知られている。
【特許文献１】特開平１０−０４１６１９号公報
【発明の開示】
【発明が解決しようとする課題】
【０００４】
しかしながら、上記従来の加熱装置では次の課題がある。即ち、上記従来の加熱装置においては、外カバーの外側を断熱塗料で塗布する方式であり、この方式では外カバーの外側の見栄えが悪くなり、また、外形サイズが大きくなり、その寸法精度も低い。また、排気ファンを常に一定回転で動作させているため、立ち上げ時や、被処理物が無い時にも、気体を加熱するために電力が余分に必要となる。また、外カバーの外側を断熱ジャケットで覆う方式であり、この方式では、外カバーの外側の温度は下げることは可能であるが、炉体自体からの放熱量は変わらず、それゆえ加熱装置自体の電力を低減できないという課題を有していた。
【０００５】
本発明は、上記課題を解決しようとするものであり、外カバーの内側に断熱塗料を塗布し、さらに、立ち上げ時や被処理物が無い時に排気ダクトの中の遮蔽板を閉じ、さらに、炉体の外側を断熱材または断熱塗料で断熱することにより、見栄えを向上させ、排熱と断熱による損失を低減させ、電力消費量を低減させるようにした加熱装置を提供することを目的とするものである。
【課題を解決するための手段】
【０００６】
上記目的を達成するために、本発明は以下の構成を有する。
【０００７】
本発明の請求項１に記載の発明は、特に、加熱装置に用いられている外カバーの内側となる裏側に断熱塗料を塗布しており、これにより、見栄えを向上でき、また、外形寸法精度を高め、小型にできるという作用効果を有する。
【０００８】
本発明の請求項２に記載の発明は、特に、加熱装置に用いられている排気ダクトの中に自動で開閉制御可能な遮蔽板を備えており、これにより、排熱損失を低減できるという作用効果を有する。
【０００９】
本発明の請求項３に記載の発明は、特に、加熱装置に用いられている炉体の外側を断熱材または断熱塗料で断熱し、断熱による損失を低減できるという作用効果を有する。
【発明の効果】
【００１０】
本発明の加熱装置は、外カバーの内側に断熱塗料を塗布し、また、立ち上げ時や被処理物が無い時に排気ダクトの中の遮蔽板を閉じ、また、炉体の外側を断熱材または断熱塗料で断熱することなどにより、見栄えを向上させ、装置を小型にし、排熱と断熱による損失を低減させ、電力消費量を低減させるようにでき、消費電力の削減効果を有する。
【発明を実施するための最良の形態】
【００１１】
以下、実施の形態を用いて、本発明の特に請求項１〜３に記載の発明について図面を参照しながら説明する。
【００１２】
図１は本発明の実施の形態における加熱装置の第１例を示した要部構成図である。図１において、通常加熱装置は炉体８がヒータ９とファン７とで形成され、双方間を被処理物５が搬送部６によって搬送され、炉体内を通過させながら加熱処理する。見栄え向上対策または、装置の小型化、高精度化として、外カバー４の内側に断熱塗料３を塗布する。ここで、断熱塗料に限定したのは形状が複雑な場合、断熱材だと形状が複雑になり材料・工数費用がアップすることから断熱塗料に限定した。また、排気用の排気ダクト１の中に自動で開閉制御可能な遮蔽板２０を備え、被処理物検出センサ２１より、被処理物の有無情報を把握できる。立ち上げ時や被処理物が無いときは遮蔽板を閉じ、通常加熱時は遮蔽板を開く構成とする。これら加熱装置に用いられている外カバーの内側に遮断塗料を塗布し、さらに排気ダクトの中に遮蔽板を備えることにより、見栄え向上と排熱の損失を低減させ、電力消費量を低減させるようにでき、消費電力の削減が図れるのである。
【００１３】
図２は本発明の実施の形態における加熱装置の第２例を示した要部構成図である。図２において、通常加熱装置は炉体８がヒータ９とファン７とで形成され、双方間を被処理物５が搬送部６によって搬送され、炉体内を通過させながら加熱処理する。断熱対策として炉体８の外側を断熱材または断熱塗料２２で断熱する構成とする。これら加熱装置に用いられている炉体の外側を断熱材または断熱塗料で断熱することにより、断熱損失を低減させ、電力消費量を低減させるようにでき、消費電力の削減が図れるのである。
【００１４】
なおまた、本発明は、加熱装置のみでなく、各種部材の加工や組立てに熱を必要とするものであれば、使用することが可能である。
【産業上の利用可能性】
【００１５】
本発明にかかる加熱装置は、外カバーの内側に断熱塗料を塗布し、また、立ち上げ時や被処理物が無い時に排気ダクトの中の遮蔽板を閉じ、また、炉体の外側を断熱材または断熱塗料で断熱することにより、装置を小型にし、見栄えを向上させ、排熱と断熱による損失を低減させ、電力消費量を低減させるようにでき、消費電力を削減できるという効果を有し、各種部材の熱処理などに用いる加熱装置として有用である。
【図面の簡単な説明】
【００１６】
【図１】本発明の実施の形態における加熱装置の第１例を示した要部構成図
【図２】本発明の実施の形態における加熱装置の第２例を示した要部構成図
【図３】従来の加熱装置の要部構成図
【図４】従来の加熱装置の他の要部構成図
【符号の説明】
【００１７】
１  排気ダクト
２  排気ファン
３  断熱塗料
４  外カバー
５  被処理物
６  搬送部
７  ファン
８  炉体
９  ヒータ
１０  断熱ジャケット
２０  遮蔽板
２１  被処理物検出センサ
２２  断熱材または断熱塗料
【図１】
2006170581.tif 000003
【図２】
2006170581.tif 000004
【図３】
2006170581.tif 000005
【図４】
2006170581.tif 000006